(57)【要約】【課題】趣向性を向上する。【解決手段】ＧＰＳ算出部１６は、現在地の位置データを算出する。ＣＰＵ３は、現在地が含まれる分割エリアを選定し、現在地が含まれるＬＭエリアを選定する。操作部５の目的地設定ボタンを操作して、目的地を設定すると、ルート検索部８は、現在地から目的地までの走行ルートを検索し、ＣＰＵ３は、ＬＣＤ６に現在地から目的地までの走行ルートを表示する。ＣＰＵ３は、走行ルートを表示した後、現在地の関連楽曲セクションに記憶された楽曲の楽曲データを再生し、スピーカ１０から音声を流す。シナリオ生成装置９は、ＣＰＵ３で再生する楽曲の特徴量を解析し、解析結果に基づいて、シナリオを生成する。ＣＰＵ３は、現在地の画像データを、ＬＣＤ６に表示するとともに、シナリオに基づいて、画像の切り換え及びズームイン／ズームアウトを行う。【選択図】図８
2008001308.tif 000002
【特許請求の範囲】
【請求項１】
楽曲データを再生する楽曲再生装置と、前記楽曲再生装置で再生する楽曲データを入力する楽曲入力手段と、画像データを表示する画像表示装置と、を備えたＡＶシステムであって、
施設の位置を含む施設データを有する画像データを記憶する画像データ記憶手段と、
前記楽曲入力手段により入力された楽曲データの特徴を解析する解析手段と、
前記解析手段での解析結果に基づいて、前記画像データ記憶手段に記憶された画像データを前記画像表示装置に表示する制御を行う制御手段と、を備えたことを特徴とするＡＶシステム。
【請求項２】
現在地の位置データを取得する位置データ取得手段と、
施設の位置を含む施設データを有する地図データから、前記位置データ取得手段で取得した位置データを含む施設データを検索する現在地施設データ検索手段と、
前記画像データ記憶手段から、前記現在地施設データ検索手段で検索された施設データを有する画像データを検索する現在地画像データ検索手段と、を備え、
前記制御手段は、前記現在地画像データ検索手段で検索された画像データを、前記画像表示装置に表示する制御を行うことを特徴とする請求項１記載のＡＶシステム。
【請求項３】
前記施設データが関連付けられた複数の楽曲データを記憶した楽曲データ記憶手段を備え、
前記楽曲入力手段は、前記現在地施設データ検索手段で検索された施設データに関連付けられた楽曲データを、前記楽曲データ記憶手段から選択して入力することを特徴とする請求項２記載のＡＶシステム。
【請求項４】
現在地の位置データを取得する位置データ取得手段と、
目的地を設定する設定手段と、
現在地から前記設定手段で設定された目的地までの走行ルートを検索するルート検索手段と、
施設の位置を含む施設データを有する地図データから、前記設定手段で設定された目的地の位置データを含む施設データを検索する目的地施設データ検索手段と、
前記画像データ記憶手段から、前記目的地施設データ検索手段で検索された施設データを有する画像データを検索する目的地画像データ検索手段と、を備え、
前記制御手段は、前記目的地画像データ検索手段で検索された画像データを、前記画像表示装置に表示する制御を行うことを特徴とする請求項１記載のＡＶシステム。
【請求項５】
前記施設データが関連付けられた複数の楽曲データを記憶した楽曲データ記憶手段を備え、
前記楽曲入力手段は、前記設定手段で設定された目的地の施設データに関連付けられた楽曲データを、前記楽曲データ記憶手段から選択して入力することを特徴とする請求項４記載のＡＶシステム。
【請求項６】
前記解析手段は、解析結果に基づいて、前記画像表示装置に表示する画像データのシナリオを生成し、
前記制御手段は、前記シナリオに基づいて、画像データを前記画像表示装置に表示する制御を行うことを特徴とする請求項１ないし５いずれか１つ記載のＡＶシステム。
【請求項７】
前記地図データを記憶する地図データ記憶手段を備えたことを特徴とする請求項１ないし６いずれか１つ記載のＡＶシステム。
【請求項８】
前記制御手段は、前記目的地の施設内に位置する他の施設の施設データを有する画像データを、前記画像表示装置に表示する制御を行うことを特徴とする請求項４ないし７いずれか１つ記載のＡＶシステム。
【発明の詳細な説明】
【技術分野】
【０００１】
本発明は、楽曲を再生するとともに画像を再生するＡＶシステムに関するものである。
【背景技術】
【０００２】
近年、ＧＰＳ（Ｇｌｏｂａｌ  Ｐｏｓｉｔｉｏｎｉｎｇ  Ｓｙｓｔｅｍ）測位システムを利用して現在地の位置データを取得し、この位置データに基づいて目的地までの走行ルートを検索して表示するナビゲーションシステムを、自動車に搭載することが一般的になってきている。ＧＰＳ測位システムは、地球を周回している２４個のＧＰＳ衛星のうち４個以上のＧＰＳ衛星からの電波をアンテナで受信し、この受信した電波に基づき、現在地の位置データ（緯度・経度）を算出する（４個以上のＧＰＳ衛星からの距離を同時に知ることにより現在地を算出する）。
【０００３】
このようなナビゲーションシステムは、画像を表示するＬＣＤと、音楽を再生するオーディオ装置（例えば、ＣＤ及びＤＶＤを再生可能なＤＶＤプレーヤ）とを備えており、ＬＣＤには走行ルートが表示され、ＤＶＤプレーヤでは音楽が再生される。ユーザは、気に入ったＣＤをＤＶＤプレーヤにセットして再生することにより、自動車でのドライブを快適に過ごすことができる。また、ＤＶＤプレーヤでＤＶＤを再生し、ＬＣＤにＤＶＤ画像を再生表示した場合には、走行時にはＤＶＤ画像を表示し、走行ルート上で道路を曲がるとき等の主要ポイントの周辺では、ＤＶＤを一時停止させて、走行ルートを表示する。
【０００４】
ＤＶＤプレーヤ等のデジタル機器では、音楽をデジタル再生しており、このようなデジタル音源を利用して、様々な提案がされており、特許文献１では、音楽信号を標本化して取り込み、取り込んだ信号より楽曲の基準となる小節時間長を算出し、算出した小節時間長と楽曲の拍子数とから楽曲のテンポを算出する自動採譜装置等に用いられるテンポ抽出装置が提案されている。
【０００５】
また、近年では、自動車での走行時の趣向性を向上するために、様々な提案がされており、特許文献２では、音楽情報データベース内の音楽情報と、画像情報データベース内の画像情報とを照合して、音楽の再生と画像情報の再生とを同時に行う車載用のオーディオシステムが提案されている。
【特許文献１】特開平５−０２７７５１号公報
【特許文献２】特開２００５−３３９６９８号公報
【発明の開示】
【発明が解決しようとする課題】
【０００６】
しかしながら、特許文献２では、複数の画像情報の再生を行ったときにも、表示する画像情報を切り換えることには言及しておらず、同一の画像情報を表示し続けるため、趣向性が低いという問題があった。
【０００７】
本発明は、上記課題を解決するためになされたものであり、趣向性を向上することができるＡＶシステムを提供することを目的とする。
【課題を解決するための手段】
【０００８】
上記目的を達成するために、本発明のＡＶシステムは、楽曲データを再生する楽曲再生装置と；前記楽曲再生装置で再生する楽曲データを入力する楽曲入力手段と；画像データを表示する画像表示装置と；を備えたＡＶシステムであって、施設の位置を含む施設データを有する画像データを記憶する画像データ記憶手段と；前記楽曲入力手段により入力された楽曲データの特徴を解析する解析手段と；前記解析手段での解析結果に基づいて、前記画像データ記憶手段に記憶された画像データを前記画像表示装置に表示する制御を行う制御手段と；を備えたことを特徴とする。
【０００９】
なお、本発明のＡＶシステムは、自動車に搭載されるカーナビゲーションシステムや、携帯電話等の移動するものに実施することが好ましい。また、前記地図データとしては、世界地図、日本地図、関東地方地図、関西地方地図等の地図データが挙げられる。さらに、前記施設としては、遊園地、遊園地内の観覧車やジェットコースター、町、市等が挙げられる。
【００１０】
また、現在地の位置データを取得する位置データ取得手段と；施設の位置を含む施設データを有する地図データから、前記位置データ取得手段で取得した位置データを含む施設データを検索する現在地施設データ検索手段と；前記画像データ記憶手段から、前記現在地施設データ検索手段で検索された施設データを有する画像データを検索する現在地画像データ検索手段と；を備え、前記制御手段は、前記現在地画像データ検索手段で検索された画像データを、前記画像表示装置に表示する制御を行うことが好ましい。
【００１１】
さらに、前記施設データが関連付けられた複数の楽曲データを記憶した楽曲データ記憶手段を備え、前記楽曲入力手段は、前記現在地施設データ検索手段で検索された施設データに関連付けられた楽曲データを、前記楽曲データ記憶手段から選択して入力することが好ましい。
【００１２】
また、現在地の位置データを取得する位置データ取得手段と；目的地を設定する設定手段と；現在地から前記設定手段で設定された目的地までの走行ルートを検索するルート検索手段と；施設の位置を含む施設データを有する地図データから、前記設定手段で設定された目的地の位置データを含む施設データを検索する目的地施設データ検索手段と；前記画像データ記憶手段から、前記目的地施設データ検索手段で検索された施設データを有する画像データを検索する目的地画像データ検索手段と；を備え、前記制御手段は、前記目的地画像データ検索手段で検索された画像データを、前記画像表示装置に表示する制御を行うことが好ましい。
【００１３】
さらに、前記施設データが関連付けられた複数の楽曲データを記憶した楽曲データ記憶手段を備え、前記楽曲入力手段は、前記設定手段で設定された目的地の施設データに関連付けられた楽曲データを、前記楽曲データ記憶手段から選択して入力することが好ましい。
【００１４】
また、前記解析手段は、解析結果に基づいて、前記画像表示装置に表示する画像データのシナリオを生成し、前記制御手段は、前記シナリオに基づいて、画像データを前記画像表示装置に表示する制御を行うことが好ましい。
【００１５】
なお、前記シナリオとしては、所定の範囲を１構成として区切り、１構成毎に前記画像表示装置に表示する画像データを切り換えるようなシナリオ、テンポの変わり目で前記画像表示装置に表示する画像データを切り換えるようなシナリオ、楽曲のアクセントの部分で画像をズームイン／ズームアウトするようなシナリオ、楽曲の拍に合わせて画像をズームイン／ズームアウトするようなシナリオ等が挙げられる。また、前記所定の範囲を１構成として区切る方法としては、拍の頭から８拍を１構成として区切る、テンポの変わり目で構成を区切り１構成とする、Ａメロ，Ｂメロ，サビの各部分を１構成として区切る、所定の閾値以上のテンポの楽曲に対しては４拍を１構成として区切るとともに、所定の閾値以上のテンポの楽曲に対しては８拍を１構成として区切る等が挙げられる、なお、Ａメロ，Ｂメロ，サビの部分を１構成として区切る場合には、予め楽曲データに１構成の長さを示すデータを記憶しておく。
【００１６】
さらに、前記地図データを記憶する地図データ記憶手段を備えることが好ましい。また、前記制御手段は、前記目的地の施設内に位置する他の施設の施設データを有する画像データを、前記画像表示装置に表示する制御を行うことが好ましい。
【発明の効果】
【００１７】
本発明のＡＶシステムによれば、楽曲データを再生する楽曲再生装置と；楽曲再生装置で再生する楽曲データを入力する楽曲入力手段と；画像データを表示する画像表示装置と；施設の位置を含む施設データを有する画像データを記憶する画像データ記憶手段と；楽曲入力手段により入力された楽曲データの特徴を解析する解析手段と；解析手段での解析結果に基づいて、画像データ記憶手段に記憶された画像データを画像表示装置に表示する制御を行う制御手段と；を備えたから、画像データを、再生する楽曲データの特徴に基づいて画像表示装置に表示すことができるため、画像の表示に係る趣向性を向上することができる。
【００１８】
また、現在地の位置データを取得する位置データ取得手段と；施設の位置を含む施設データを有する地図データから、位置データ取得手段で取得した位置データを含む施設データを検索する現在地施設データ検索手段と；画像データ記憶手段から、現在地施設データ検索手段で検索された施設データを有する画像データを検索する現在地画像データ検索手段と；を備え、制御手段は、現在地画像データ検索手段で検索された画像データを、画像表示装置に表示する制御を行うから、ユーザは、再生されている画像を確認するだけで、現在地を把握することができる。
【００１９】
さらに、施設データが関連付けられた複数の楽曲データを記憶した楽曲データ記憶手段を備え、楽曲入力手段は、現在地施設データ検索手段で検索された施設データに関連付けられた楽曲データを、楽曲データ記憶手段から選択して入力するから、楽曲の再生に係る趣向性を向上することができ、さらには、ユーザは、再生されている楽曲を確認するだけで、現在地を把握することができる。
【００２０】
また、現在地の位置データを取得する位置データ取得手段と；目的地を設定する設定手段と；現在地から設定手段で設定された目的地までの走行ルートを検索するルート検索手段と；施設の位置を含む施設データを有する地図データから、設定手段で設定された目的地の位置データを含む施設データを検索する目的地施設データ検索手段と；画像データ記憶手段から、目的地施設データ検索手段で検索された施設データを有する画像データを検索する目的地画像データ検索手段と；を備え、制御手段は、目的地画像データ検索手段で検索された画像データを、画像表示装置に表示する制御を行うから、目的地の施設データが含まれる画像データを、再生する楽曲データの特徴に基づいて画像表示装置に表示することができるため、画像の表示に係る趣向性を向上することができ、さらには、ユーザは、再生されている画像を確認するだけで、目的地を把握することができる。
【００２１】
さらに、施設データが関連付けられた複数の楽曲データを記憶した楽曲データ記憶手段を備え、楽曲入力手段は、設定手段で設定された目的地の施設データに関連付けられた楽曲データを、楽曲データ記憶手段から選択して入力するから、楽曲の再生に係る趣向性を向上することができ、さらには、ユーザは、再生されている楽曲を確認するだけで、目的地を把握することができる。
【００２２】
また、解析手段は、解析結果に基づいて、画像表示装置に表示する画像データのシナリオを生成し、制御手段は、シナリオに基づいて、画像データを画像表示装置に表示する制御を行うから、画像の表示に係る趣向性をより一層向上することができる。
【発明を実施するための最良の形態】
【００２３】
図１に示すように、本発明を実施したカーナビゲーションシステム２は、自動車に搭載されるものであり、ＣＰＵ（制御手段）３、ＲＡＭ（地図データ記憶手段）４、操作部（楽曲入力手段）５、ＬＣＤ（画像表示装置）６、ＧＰＳユニット（位置データ取得手段）７、ルート検索部（ルート検索手段）８、シナリオ生成装置（解析手段）９を備えて構成されている。ＣＰＵ３は、各部４〜９を制御するものであり、自動車に設置されたスピーカ１０に接続されている。
【００２４】
ＲＡＭ４には、詳しくは後述する概略の日本の地図データが記憶されており、この地図データ内には、ランドマークの画像データが記憶されている。また、ＲＡＭ４には、複数の楽曲データが記憶されている。本実施形態では、ＲＡＭ４は、複数の楽曲データを記憶した楽曲データ記憶手段としても機能する。
【００２５】
操作部５は、ユーザが、カーナビゲーションシステム２を操作するためのものであり、目的地設定ボタン（設定手段）、楽曲再生ボタン、楽曲選択ボタン及びボリュームボタン等を備えて構成され、ＣＰＵ３に接続されている。ＬＣＤ６は、画像を表示するものであり、ＣＰＵ３に接続されている。なお、操作部５を、リモコンにより構成するようにしてもよい。
【００２６】
操作部５の楽曲選択ボタンを操作して、ＲＡＭ４に記憶された楽曲の中から任意の楽曲を選択し、楽曲再生ボタンを操作すると、ＣＰＵ３は、ＲＡＭ４に記憶された楽曲データの中から、選択された楽曲の楽曲データを再生し、スピーカ１０から音声を流す。本実施形態では、ＣＰＵ３は、楽曲を再生する楽曲再生装置としても機能する。なお、ＲＡＭ４に記憶された楽曲データの中から任意の楽曲データを選択するときには、ＬＣＤ６には、楽曲名が表示される。
【００２７】
ＧＰＳユニット７は、現在地を測位してその位置データを取得するものであり、アンテナ１５、ＧＰＳ算出部１６を有する。アンテナ１５は、地球を周回している２４個のＧＰＳ衛星のうち４個以上（例えば、４個）のＧＰＳ衛星からの電波を受信する。この受信した電波は、ＧＰＳ算出部１６に送られる。ＧＰＳ算出部１６には、入力された電波に基づき、現在地の位置データ（緯度・経度）を算出する算出プログラムが格納されている。
【００２８】
カーナビゲーションシステム２の電源がオンされると、ＣＰＵ３からＧＰＳ算出部１６にプログラム起動信号が出力され、ＧＰＳ算出部１６は、算出プログラムを起動して、アンテナ１５から入力される電波に基づき、現在地の位置データ（緯度・経度）を算出（４個のＧＰＳ衛星からの距離を同時に知ることにより現在位置を算出）し、算出した現在地データをＣＰＵ３に送る。詳しくは後述するように、ＣＰＵ３は、現在地データが入力されたことに応答して、ＬＣＤ６に現在地周辺の地図を表示するとともに、その地図上に、現在地を示すアイコンを表示する。
【００２９】
ルート検索部８は、公知のものであり、その説明は簡略化するが、現在地から、操作部５の目的地設定ボタンで設定された目的地までの走行ルートを検索する。ルート検索部８は、ルート検索が終了すると、検索した走行ルートに応じた検索ルート信号をＣＰＵ３に入力する。ＣＰＵ３は、検索ルート信号が入力されたことに応答して、ＬＣＤ６に表示されている地図上に、現在地から目的地までの走行ルートを表示する。
【００３０】
ＲＡＭ４には、概略の日本の地図データが記憶されている。この地図データは、図２に概略的に二次元で示すように、始点緯度３０°、始点経度１２８°、終点緯度４６°、終点経度１４７°の範囲を、緯線方向に４０分（２／３°）ピッチで、経線方向に１°ピッチで等間隔に複数の分割エリアに分割した地図の地図データである。
【００３１】
地図データは、図３に示す分割エリアデータテーブルと、図４に示す分割エリア一覧テーブルとを含んで構成されている。分割エリアデータテーブルには、１個の分割エリアの緯線方向の長さ（＝２／３°）、１個の分割エリアの経線方向の長さ（＝１°）、緯線方向の分割エリア個数（＝２４）、経線方向の分割エリア個数（＝１９）、地図の始点緯度（＝３０°）、地図の始点経度（＝１２８°）が記憶されている。
【００３２】
分割エリア一覧テーブルには、全ての分割エリアの始点緯度及び始点経度のデータが記憶されている。地図データは、地図の始点となる図２中ハッチングされた分割エリアＡ（０，０）から、地図の終点となる分割エリアＡ（１８，２３）までの４５６個の分割エリアで構成される。なお、上記した（  ）内の数値は、左側の数値が、経線方向において分割エリアＡ（０，０）から何個目の分割エリアかを示し、右側の数値が、緯線方向において分割エリアＡ（０，０）から何個目の分割エリアかを示している。例えば、分割エリアＡ（１０，１５）は、経線方向において分割エリアＡ（０，０）から１０個目、緯線方向において分割エリアＡ（０，０）から１５個目の分割エリアとなる。
【００３３】
なお、図２〜図４においては、図面の乱雑を避けるために、１個の分割エリアが、緯線方向に４０分（２／３°）、経線方向に１°となるように、地図データを等間隔で分割したが、実際には、もっと細かいピッチで分割されるものであり、例えば、１個の分割エリアは、緯線方向に１０ｋｍ、経線方向に１０ｋｍ程度であることが好ましく、分割エリアのサイズに応じて、経線方向の分割エリア個数と緯線方向の分割エリア個数とは変更されるものである。
【００３４】
図５に示すように、地図データには、複数の分割エリア毎に、分割エリア内に位置する主要なランドマーク（例えば、町や遊園地や駅等）それぞれに割り振られたＩＤ番号、ランドマークの名前（ＬＭ名）、ランドマークのエリア座標（ＬＭエリア座標）、関連楽曲、ＬＭ画像、親データ、子データの各セクションのデータが記憶されたランドマークデータテーブル（施設データ）が含まれている。本実施形態では、分割エリアＡ（１１，８）内に、Ｂ町、Ｃ町、Ｄ町、Ｅ町、Ｆ遊園地が位置し、Ｆ遊園地内にＧ観覧車及びＨジェットコースターが位置する実施形態について説明を行う。
【００３５】
Ｂ町はＩＤ番号＝１０１、Ｃ町はＩＤ番号＝１０２、Ｄ町はＩＤ番号＝１０３、Ｅ町はＩＤ番号＝１０４、Ｆ遊園地はＩＤ番号＝１０５、Ｇ観覧車はＩＤ番号＝１０６、ＨジェットコースターはＩＤ番号＝１０７とされている。Ｂ町には「雨のＢ町」というタイトルの楽曲が、Ｃ町には「Ｃ町ブルース」というタイトルの楽曲が、Ｄ町には「Ｄ町タワー」というタイトルの楽曲が、Ｅ町には「Ｅ町音頭」というタイトルの楽曲が、Ｆ遊園地には「Ｆ遊園地のマーチ」というタイトルの楽曲が、それぞれ関連付けられ、関連楽曲セクションには、各楽曲のデータが記憶されている。各ランドマークのＬＭ画像セクションには、各ランドマーク内の画像を示す画像データが複数（例えば、１００枚分）記憶されている。本実施形態では、ＲＡＭ４は、施設データを有する画像データを記憶する画像データ記憶手段としても機能する。
【００３６】
Ｇ観覧車及びＨジェットコースターは、Ｆ遊園地内に位置するため、これらランドマークの親子関係としては、Ｆ遊園地を親としたときに、Ｇ観覧車及びＨジェットコースターはＦ遊園地の子となる。このため、Ｆ遊園地の子データセクションには、Ｇ観覧車及びＨジェットコースターのＩＤ番号である「１０６，１０７」が記憶され、Ｇ観覧車及びＨジェットコースターの親データセクションには、Ｆ遊園地のＩＤ番号である「１０５」が記憶されている。
【００３７】
ＲＡＭ４は、ユーザによりデータ更新可能に設けられており、撮影位置の位置データを有する撮影画像データが記憶される。ＣＰＵ３は、撮影画像データを、位置データに基づいて撮影位置を含むランドマーク毎に振り分けて、各ランドマークのＬＭ画像セクションに記憶する。これにより、各ランドマークのＬＭ画像セクションには、各ランドマーク内の画像を示す画像データが記憶された状態となる。なお、撮影画像データを、撮影した位置データに基づいて、撮影位置を含むランドマーク毎に振り分ける方法は、特願２００５−３３２０４２号に詳しく記述されている。これらの記載も本発明に適用できる。
【００３８】
ＲＡＭ４のランドマークデータテーブルにおけるＬＭ画像セクションに記憶する画像データは、ユーザが撮影した撮影画像データに限らず、位置データを有する画像データであればよく、例えば、インターネット等を介して取得した画像データや、撮影画像データ及び取得画像データをミックスしたものでもよい。
【００３９】
図６は、Ｂ町、Ｃ町、Ｄ町、Ｅ町、Ｆ遊園地の各ランドマークのエリアデータを概略的に二次元で示した平面図である。Ｂ町は、４角形状に形成されたランドマークであり、４個の頂点の各座標（（Ｂｘ１，Ｂｙ１）（Ｂｘ２，Ｂｙ２）（Ｂｘ３，Ｂｙ３）（Ｂｘ４，Ｂｙ４））のデータが、ランドマークデータテーブルのＬＭエリア座標セクション（図５参照）に記憶されている。これら４個の頂点を通る線で囲まれたエリアが、Ｂ町ＬＭエリアとなる。同様にして、Ｃ町、Ｄ町、Ｅ町、Ｆ遊園地は、４角形状に形成されたランドマークであり、それぞれ４個の頂点の各座標のデータが、ランドマークデータテーブルのＬＭエリア座標セクション（図５参照）に記憶されている。これら４個の頂点を通る線で囲まれたエリアが、各ランドマークのＬＭエリアとなる。本実施形態では、Ｂ町からＦ遊園地までの走行ルートが、Ｃ町、Ｄ町、Ｅ町を通ってＦ遊園地に到着する走行ルートである実施形態について説明を行う。
【００４０】
図７は、Ｆ遊園地の各ランドマーク、Ｇ観覧車、Ｈジェットコースターのエリアデータを概略的に二次元で示した平面図である。Ｇ観覧車及びＨジェットコースターは、４角形状に形成されたランドマークであり、それぞれ４個の頂点の各座標のデータが、ランドマークデータテーブルのＬＭエリア座標セクション（図５参照）に記憶されている。これら４個の頂点を通る線で囲まれたエリアが、各ランドマークのＬＭエリアとなる。
【００４１】
ユーザが運転する自動車が、Ｂ町内の「（緯度＝３５．７°、経度＝１３９．７°）」の地点にいるときに、カーナビゲーションシステム２の電源をオンすると、ＣＰＵ３はＧＰＳ算出部１６にプログラム起動信号を出力し、ＧＰＳ算出部１６は、算出プログラムを起動して、アンテナ１５から入力される電波に基づき、現在地の位置データ（緯度・経度）を算出し、算出した現在地データをＣＰＵ３に送る。ＣＰＵ３は、現在地データが入力されたことに応答して、現在地データに基づき、ＲＡＭ４を検索して、ＲＡＭ４に記憶された地図データの全ての分割エリアから、現在地（Ｂ町）が含まれる分割エリアを選定する。
【００４２】
分割エリアの検索方法としては、現在地の緯度（＝３５．７°）から地図の始点緯度（＝３０°）を減算し、減算して得られた数値（＝５．７°）を１分割エリアの緯線方向の長さ（＝２／３°）で除算し、除算して得られた数値（＝８．５５）の小数点以下を切り捨てる。こうして得られた数値（＝８）が、緯線方向において始点分割エリア（図２におけるハッチングされた分割エリア）から何個目の分割エリアかを示す数値となる。
【００４３】
また、現在地の経度（＝１３９．７°）から地図の始点経度（＝１２８°）を減算し、減算して得られた数値（＝１１．７°）を１分割エリアの経線方向の長さ（＝１°）で除算し、除算して得られた数値（＝１１．７）の小数点以下を切り捨てる。こうして得られた数値（＝１１）が、経線方向において始点分割エリア（図２におけるハッチングされた分割エリア）から何個目の分割エリアかを示す数値となる。現在地が、「（緯度＝３５．７°、経度＝１３９．７°）」の場合には、緯線方向において始点分割エリアから８個目、経線方向において始点分割エリアから１１個目の分割エリアとなる。このように、現在地が含まれる分割エリアを、現在地データ（緯度・経度）を用いて計算式により検索するから、現在地データと全ての分割エリア（４５６個）とを対比させて、現在地が含まれる分割エリアを検索するものに比べて、検索に要する時間を短縮することができる。
【００４４】
分割エリアの検索が終了すると、ＣＰＵ３は、次にランドマークの検索を行う。このとき、ＣＰＵ３は、上記したように検索（選定）された分割エリアＡ（１１，８）内のみのランドマークの検索を行う。本実施形態では、ＣＰＵ３は、ＲＡＭ４から、ＧＰＳユニット７で取得した位置データを含む施設データを検索する現在地施設データ検索手段としても機能する。
【００４５】
ＣＰＵ３は、分割エリアＡ（１１，８）内のランドマークを検索し、現在地が含まれるＬＭエリアを選定する。本実施形態では、検索結果として、Ｂ町ＬＭエリアが選定される。
【００４６】
ＣＰＵ３は、現在地が含まれるＬＭエリアを選定すると、ＬＣＤ６に選定されたＬＭエリア（Ｂ町ＬＭエリア）周辺の地図を表示するとともに、その地図上に、現在地を示すアイコンを表示する。この状態のときに、ユーザが、操作部５の目的地設定ボタンを操作して、目的地として「Ｆ遊園地」を設定すると、ルート検索部８は、Ｂ町からＦ遊園地までの走行ルートを検索する。ルート検索部８によるルート検索が終了すると、ＣＰＵ３は、ＬＣＤ６に表示されている地図上に、Ｂ町からＦ遊園地までの走行ルートまでの走行ルートを表示する（図６参照）。
【００４７】
そして、ＣＰＵ３は、走行ルートを表示した後、ランドマークデータテーブルの現在地（Ｂ町）の関連楽曲セクションに記憶された楽曲（「雨のＢ町」）の楽曲データを再生し、スピーカ１０（図１参照）から音声を流す。本実施形態では、ＣＰＵ３は、現在地（Ｂ町）の施設データに関連付けられた楽曲データを、ＲＡＭ４から選択して入力する楽曲入力手段としても機能する。
【００４８】
現在地データが含まれるＬＭエリアに関連付けられた楽曲（「雨のＢ町」）の楽曲データを再生する前に、ＣＰＵ３は、シナリオ生成装置９（図１参照）にシナリオ生成信号を入力する。シナリオ生成装置９は、シナリオ生成信号が入力されたことに応答して、公知の解析方法により、ＣＰＵ３で再生する楽曲（「雨のＢ町」）の特徴量を解析する。シナリオ生成装置９は、解析結果に基づいて、アクセントの部分を算出するとともに、楽曲を複数の構成として区切る。本実施形態では、シナリオ生成装置９は、拍の頭から８拍を１構成として区切り、８拍の１構成毎にＬＣＤ６に表示する画像を切り換えるとともに、上記アクセントの部分で画像をズームイン／ズームアウトするようなシナリオを生成する。そして、シナリオ生成装置９は、生成したシナリオに応じたシナリオ信号をＣＰＵ３に入力する。
【００４９】
ＣＰＵ３は、シナリオ信号が入力されたことに応答して、ランドマークデータテーブルの現在地（Ｂ町）のＬＭ画像セクションに記憶された画像データを、ＬＣＤ６に表示する。このとき、ＣＰＵ３は、現在地（Ｂ町）のランドマークの親データセクション及び子データセクションを参照し、親や子となるランドマークがあるときには、そのランドマークのＬＭ画像セクションに記憶された画像データも、ＬＣＤ６に表示する。現在地がＢ町のときには、親や子となるランドマークがないため、ＣＰＵ３は、Ｂ町の画像データのみをＬＣＤ６に表示する。本実施形態では、ＣＰＵ３は、ＲＡＭ４から、現在地の施設データを有する画像データを検索する現在地画像データ検索手段としても機能する。
【００５０】
ランドマークデータテーブルのＢ町のＬＭ画像セクションには、１００枚分のＢ町の画像データが記憶されており、ＣＰＵ３は、上記したシナリオに基づいて、８拍の１構成毎にＬＣＤ６に表示する画像を切り換え、アクセントの部分で画像をズームイン／ズームアウトする制御を行う。このように、８拍毎にＬＣＤ６に表示する画像を連続して切り換えることにより、動画を再生しているようにすることができる。なお、ＣＰＵ３は、ＬＣＤ６に、現在地周辺の地図及び走行ルートを表示せずに、Ｂ町の画像のみを表示する。また、ＣＰＵ３によるＬＣＤ６への画像の表示は、１００枚分のＢ町の画像データの番号順に行われる。このため、ランドマークデータテーブルに記憶された１００枚分のＢ町の画像データには、１〜１００までの番号が割り振られている。
【００５１】
ＣＰＵ３は、ユーザが運転する自動車が、目的地であるＦ遊園地まで走行するために道路を曲がる必要があるポイントＰＡ（図６参照）に達する直前（例えば、７００ｍ前）には、ＬＣＤ６に走行ルートを表示し、Ｂ町の画像表示を一時停止する。そして、ユーザが運転する自動車が、ポイントＰＡを曲がった後（例えば、１００ｍ通過後）には、ＣＰＵ３は、ＬＣＤ６にＢ町の画像表示を再開する。これにより、走行ルートのナビゲーションの必要がない直線道路を走行中には、現在地（Ｂ町）の画像を表示し、走行ルートのナビゲーションの必要があるポイントＰＡを走行中には、走行ルートを表示することができ、走行ルートのナビゲーションに影響を与える（邪魔をする）ことなく、現在地（Ｂ町）の画像を表示することができる。なお、上記した７００ｍ及び１００ｍの数値は、適宜変更可能である。
【００５２】
ユーザが運転する自動車がＣ町に進入すると、ＣＰＵ３は、ＲＡＭ４に記憶された楽曲データの中から、現在地データが含まれるＬＭエリア（Ｃ町ＬＭエリア）に関連付けられた楽曲（「Ｃ町ブルース」）の楽曲データを再生し、スピーカ１０から音声を流し、さらには、ＣＰＵ３は、シナリオ生成装置９により生成された「Ｃ町ブルース」用のシナリオに基づいて、ランドマークデータテーブルの現在地（Ｃ町）のＬＭ画像セクションに記憶された画像データを、ＬＣＤ６に表示する。同様にして、ユーザが運転する自動車がＤ町、Ｅ町に進入すると、ＣＰＵ３は、現在地データが含まれるＬＭエリアに関連付けられた楽曲（「Ｄ町タワー」、「Ｅ町音頭」）の楽曲データを再生し、スピーカ１０から音声を流し、さらには、ＣＰＵ３は、シナリオ生成装置９により生成された「ＣＤ町タワー」、「Ｅ町音頭」用のシナリオに基づいて、ランドマークデータテーブルの現在地のＬＭ画像セクションに記憶された画像データを、ＬＣＤ６に表示する。
【００５３】
ユーザが運転する自動車がＦ遊園地に進入すると、ＣＰＵ３は、現在地データが含まれるＬＭエリアに関連付けられた楽曲（「Ｆ遊園地のマーチ」）の楽曲データを再生し、スピーカ１０から音声を流し、さらには、ＣＰＵ３は、シナリオ生成装置９により生成された「Ｆ遊園地のマーチ」用のシナリオに基づいて、ランドマークデータテーブルのＦ遊園地のＬＭ画像セクションに記憶された画像データを、ＬＣＤ６に表示する。Ｆ遊園地内には、Ｇ観覧車及びＨジェットコースターが位置しており、ＣＰＵ３は、「Ｆ遊園地のマーチ」用のシナリオに基づいて、Ｆ遊園地、Ｇ観覧車及びＨジェットコースターのＬＭ画像セクションに記憶された画像データを、ＬＣＤ６に表示する。すなわち、ユーザが運転する自動車が進入したランドマークに子となるランドマークがあるときには、ＣＰＵ３は、その親のランドマークの画像データ及び子のランドマークの画像データを、ＬＣＤ６に表示する。
【００５４】
また、ユーザが、目的地設定を解除すると、ＣＰＵ３は、ＬＣＤ６に選定されたＬＭエリア（現在地）周辺の地図を表示するとともに、その地図上に、現在地を示すアイコンを表示する。
【００５５】
上記のように構成されたカーナビゲーションシステム２の作用について、図８のフローチャートを用いて説明を行う。ユーザが運転する自動車が、Ｂ町内の「（緯度＝３５．７°、経度＝１３９．７°）」の地点にいるときに、カーナビゲーションシステム２の電源をオンする（ステップ（以下、Ｓ）１）と、ＧＰＳ算出部１６は、現在地の位置データ（緯度・経度）を算出する（Ｓ２）。ＣＰＵ３は、現在地データに基づき、地図データの全ての分割エリアから、現在地（Ｂ町）が含まれる分割エリアを選定する（Ｓ３）。次に、ＣＰＵ３は、選定された分割エリアＡ（１１，８）内のランドマークを検索し、現在地が含まれるＬＭエリアを選定する（Ｓ４）。
【００５６】
ＣＰＵ３は、ＬＣＤ６に選定されたＬＭエリア（Ｂ町ＬＭエリア）周辺の地図を表示するとともに、その地図上に、現在地を示すアイコンを表示する（Ｓ５）。この状態のときに、ユーザが、操作部５の目的地設定ボタンを操作して、目的地として「Ｆ遊園地」を設定する（Ｓ６でＹ）と、ルート検索部８は、Ｂ町からＦ遊園地までの走行ルートを検索し、ＣＰＵ３は、ＬＣＤ６に表示されている地図上に、Ｂ町からＦ遊園地までの走行ルートを表示する（Ｓ７）。
【００５７】
ＣＰＵ３は、走行ルートを表示した後、ランドマークデータテーブルの現在地（Ｂ町）の関連楽曲セクションに記憶された楽曲（「雨のＢ町」）の楽曲データを再生し、スピーカ１０から音声を流す（Ｓ８）とともに、シナリオ生成装置９にシナリオ生成信号を入力する。
【００５８】
シナリオ生成装置９は、シナリオ生成信号が入力されたことに応答して、ＣＰＵ３で再生する楽曲（「雨のＢ町」）の特徴量を解析する（Ｓ９）。シナリオ生成装置９は、拍の頭から８拍を１構成として区切り、８拍の１構成毎にＬＣＤ６に表示する画像を切り換えるとともに、アクセントの部分で画像をズームイン／ズームアウトするようなシナリオを生成し（Ｓ１０）、生成したシナリオに応じたシナリオ信号をＣＰＵ３に入力する。
【００５９】
ＣＰＵ３は、シナリオ信号が入力されたことに応答して、現在地（Ｂ町）の１００枚の画像データを、ＬＣＤ６に表示するとともに、上記したシナリオに基づいて、８拍の１構成毎にＬＣＤ６に表示する画像を切り換え、アクセントの部分で画像をズームイン／ズームアウトする制御を行う（Ｓ１１）。そして、目的地設定を解除していないとき（Ｓ１２でＮ）には、Ｂ町からＦ遊園地までの走行ルートを表示する（Ｓ７）。
【００６０】
このように、ＣＰＵ３は、現在地（Ｂ町）の関連楽曲セクションに記憶された楽曲データ（「雨のＢ町」）を再生するとともに、現在地（Ｂ町）のＬＭ画像セクションに記憶された画像データを、ＬＣＤ６に表示するから、自動車の走行時における趣向性を向上することができ、さらには、ユーザは、再生されている楽曲及び画像を確認するだけで、現在地を把握することができる。
【００６１】
また、再生する楽曲データに応じてシナリオを生成し、ＣＰＵ３は、シナリオに応じてＬＣＤ６に表示する画像の切り換え及びズームイン／ズームアウトを行うから、より一層、趣向性を向上することができる。
【００６２】
なお、上記実施形態では、ＣＰＵ３は、現在地（Ｂ町）の関連楽曲セクションに記憶された楽曲データ（「雨のＢ町」）を再生するとともに、現在地（Ｂ町）のＬＭ画像セクションに記憶された画像データを、ＬＣＤ６に表示したが、これに限定されることなく、楽曲データの再生と画像データの表示とのうち少なくともいずれか一方を行えばよく、ユーザが任意で選択した楽曲データを再生するとともに、現在地（Ｂ町）の画像データをＬＣＤ６に表示するようにしてもよく、現在地（Ｂ町）の関連楽曲セクションに記憶された楽曲データ（「雨のＢ町」）を再生するとともに、ユーザが任意で選択した画像をＬＣＤ６に表示するようにしてもよく、適宜変更可能である。
【００６３】
また、上記実施形態では、目的地を設定し、目的地までの走行ルートを表示した後に、現在地（Ｂ町）の関連楽曲セクションに記憶された楽曲データ（「雨のＢ町」）を再生するとともに、現在地（Ｂ町）のＬＭ画像セクションに記憶された画像データを、ＬＣＤ６に表示したが、これに限定されることなく、目的地を設定していないときにも、現在地（Ｂ町）の関連楽曲セクションに記憶された楽曲データ（「雨のＢ町」）を再生するとともに、現在地（Ｂ町）のＬＭ画像セクションに記憶された画像データを、ＬＣＤ６に表示するようにしてもよく、適宜変更可能である。
【００６４】
さらに、上記実施形態では、１００枚分のランドマークの画像データを、番号順に表示するようにしたが、これに限定されることなく、データファイル名の辞書順、データの最終更新日時順、撮影日時順、ランダムに表示するようにしてもよく、さらには、人物が撮影されている画像のみを表示するようにしてもよく、適宜変更可能である。
【００６５】
また、上記実施形態では、ＲＡＭ４のランドマークデータテーブルに、ランドマークに応じた楽曲データ及び画像データを記憶し、これら楽曲データ及び画像データを再生したが、これに限定されることなく、楽曲データ及び画像データが記憶された外部データサーバーにインターネットを介して接続可能な通信部を設け、外部データサーバーに接続して楽曲データ及び画像データをダウンロードし、このダウンロードした楽曲データ及び画像データを再生するようにしてもよく、適宜変更可能である。
【００６６】
図９に他の実施形態を示す。上記実施形態のものと同様の構成部材には同一の符号を付し、その詳細な説明を簡略化する。この実施形態では、ユーザが運転する自動車が、Ｂ町内の「（緯度＝３５．７°、経度＝１３９．７°）」の地点にいるときに、カーナビゲーションシステム２の電源をオンする（Ｓ１）と、ＧＰＳ算出部１６は、現在地の位置データ（緯度・経度）を算出する（Ｓ２）。ＣＰＵ３は、現在地データに基づき、地図データの全ての分割エリアから、現在地（Ｂ町）が含まれる分割エリアを選定する（Ｓ３）。次に、ＣＰＵ３は、選定された分割エリアＡ（１１，８）内のランドマークを検索し、現在地が含まれるＬＭエリアを選定する（Ｓ４）。
【００６７】
ＣＰＵ３は、ＬＣＤ６に選定されたＬＭエリア（Ｂ町ＬＭエリア）周辺の地図を表示するとともに、その地図上に、現在地を示すアイコンを表示する（Ｓ５）。この状態のときに、ユーザが、操作部５の目的地設定ボタンを操作して、目的地として「Ｆ遊園地」を設定する（Ｓ６でＹ）と、ルート検索部８は、Ｂ町からＦ遊園地までの走行ルートを検索し、ＣＰＵ３は、ＬＣＤ６に表示されている地図上に、Ｂ町からＦ遊園地までの走行ルートまでの走行ルートを表示する（Ｓ７）。
【００６８】
ＣＰＵ３は、走行ルートを表示した後、ランドマークデータテーブルの目的地（Ｆ遊園地）の関連楽曲セクションに記憶された楽曲データ（「Ｆ遊園地のマーチ」）を再生し、スピーカ１０から音声を流す（Ｓ８）とともに、シナリオ生成装置９にシナリオ生成信号を入力する。
【００６９】
シナリオ生成装置９は、シナリオ生成信号が入力されたことに応答して、ＣＰＵ３で再生する楽曲（「Ｆ遊園地のマーチ」）の特徴量を解析する（Ｓ９）。シナリオ生成装置９は、拍の頭から８拍を１構成として区切り、８拍の１構成毎にＬＣＤ６に表示する画像を切り換えるとともに、アクセントの部分で画像をズームイン／ズームアウトするようなシナリオを生成する（Ｓ１０）。
【００７０】
ＣＰＵ３は、シナリオ生成装置９からシナリオ信号が入力されたことに応答して、目的地（Ｆ遊園地）の１００枚の画像データ及び、Ｆ遊園地の子としてのＧ観覧車及びＨジェットコースターの各１００枚の画像データを、ＬＣＤ６に表示するとともに、上記したシナリオに基づいて、８拍の１構成毎にＬＣＤ６に表示する画像を切り換え、アクセントの部分で画像をズームイン／ズームアウトする制御を行う（Ｓ１１）。そして、目的地設定を解除していないとき（Ｓ１２でＮ）には、Ｂ町からＦ遊園地までの走行ルートを表示する（Ｓ７）。本実施形態では、ＣＰＵ３は、ＲＡＭ４から、目的地の施設データを有する画像データを検索する目的地画像データ検索手段としても機能する。
【００７１】
このように、ＣＰＵ３は、目的地（Ｆ遊園地）の関連楽曲セクションに記憶された楽曲データ（「Ｆ遊園地のマーチ」）を再生するとともに、目的地（Ｆ遊園地）のＬＭ画像セクションに記憶された画像データを、ＬＣＤ６に表示するから、自動車の走行時における趣向性を向上することができる。
【００７２】
なお、上記実施形態では、ＣＰＵ３は、目的地（Ｆ遊園地）の関連楽曲セクションに記憶された楽曲データ（「Ｆ遊園地のマーチ」）を再生するとともに、目的地（Ｆ遊園地）のＬＭ画像セクションに記憶された画像データを、ＬＣＤ６に表示したが、これに限定されることなく、楽曲データの再生と画像データの表示とのうち少なくともいずれか一方を行えばよく、ユーザが任意で選択した楽曲データを再生するとともに、目的地（Ｆ遊園地）の画像データをＬＣＤ６に表示するようにしてもよく、目的地（Ｆ遊園地）の関連楽曲セクションに記憶された楽曲データ（「Ｆ遊園地のマーチ」）を再生するとともに、ユーザが任意で選択した画像をＬＣＤ６に表示するようにしてもよく、適宜変更可能である。
【００７３】
図１０及び図１１に他の実施形態を示す。図１〜図８に示す実施形態のものと同様の構成部材には同一の符号を付し、その詳細な説明を簡略化する。この実施形態では、カーナビゲーションシステム２０には、ＣＤプレーヤ２１が設けられている。ＣＤプレーヤ２１は、ＣＰＵ３及びスピーカ１０に接続されている。カーナビゲーションシステム２０のＲＡＭ４には、楽曲データが記憶されておらず、カーナビゲーションシステム２０で楽曲を再生する場合には、ユーザは、ＣＤプレーヤ２１にＣＤをセットし、操作部５を操作して、ＣＰＵ３によりＣＤプレーヤ２１の駆動を制御して、ＣＤの再生を行う。本実施形態では、ＣＤプレーヤ２１は、楽曲データを再生する楽曲再生装置として機能する。
【００７４】
ユーザが運転する自動車が、Ｂ町内の「（緯度＝３５．７°、経度＝１３９．７°）」の地点にいるときに、カーナビゲーションシステム２の電源をオンする（Ｓ１）と、ＧＰＳ算出部１６は、現在地の位置データ（緯度・経度）を算出する（Ｓ２）。ＣＰＵ３は、現在地データに基づき、地図データの全ての分割エリアから、現在地（Ｂ町）が含まれる分割エリアを選定する（Ｓ３）。次に、ＣＰＵ３は、選定された分割エリアＡ（１１，８）内のランドマークを検索し、現在地が含まれるＬＭエリアを選定する（Ｓ４）。
【００７５】
ＣＰＵ３は、ＬＣＤ６に選定されたＬＭエリア（Ｂ町ＬＭエリア）周辺の地図を表示するとともに、その地図上に、現在地を示すアイコンを表示する（Ｓ５）。この状態のときに、ユーザが、ＣＤプレーヤ２１にＣＤをセットし、操作部５を操作して、ＣＤプレーヤ２１で再生する楽曲を選択する（Ｓ６でＹ）と、ＣＤプレーヤ２１は、選択された楽曲データを再生し、スピーカ１０から音声を流す（Ｓ７）とともに、ＣＰＵ３を介してシナリオ生成装置９に再生する楽曲データ及びシナリオ生成信号を入力する。
【００７６】
シナリオ生成装置９は、楽曲データ及びシナリオ生成信号が入力されたことに応答して、入力された楽曲データ（ＣＤプレーヤ２１で再生する楽曲）の特徴量を解析する（Ｓ８）。シナリオ生成装置９は、拍の頭から８拍を１構成として区切り、８拍の１構成毎にＬＣＤ６に表示する画像を切り換えるとともに、アクセントの部分で画像をズームイン／ズームアウトするようなシナリオを生成する（Ｓ９）。
【００７７】
ＣＰＵ３は、シナリオ生成装置９からシナリオ信号が入力されたことに応答して、現在地（Ｂ町）の１００枚の画像データを、ＬＣＤ６に表示するとともに、上記したシナリオに基づいて、８拍の１構成毎にＬＣＤ６に表示する画像を切り換え、アクセントの部分で画像をズームイン／ズームアウトする制御を行う（Ｓ１０）。
【００７８】
このように、ＣＤプレーヤ２１は、ユーザが選択した楽曲データを再生し、ＣＰＵ３は、ＣＤプレーヤ２１で再生する楽曲データの特徴量に基づいたシナリオで、現在地（Ｂ町）のＬＭ画像セクションに記憶された画像データを、ＬＣＤ６に表示するから、ユーザが任意で選択した楽曲データの特徴量に基づいたシナリオで、画像データを表示することができ、自動車の走行時における趣向性を向上することができる。
【図面の簡単な説明】
【００７９】
【図１】本発明を実施したカーナビゲーションシステムの電気的構成を示す機能ブロック図である。
【図２】地図データの地図領域を示す平面図である。
【図３】分割エリアデータテーブルの説明図である。
【図４】分割エリア一覧テーブルの説明図である。
【図５】ランドマークデータテーブルの説明図である。
【図６】Ｂ町、Ｃ町、Ｄ町、Ｅ町、Ｆ遊園地の地図領域を示す平面図である。
【図７】Ｆ遊園地、Ｇ観覧車、Ｈジェットコースターの地図領域を示す平面図である。
【図８】算出した現在地データに基づき、現在地の楽曲データ及び画像データを再生する流れを示すフローチャートである。
【図９】設定した目的地の楽曲データ及び画像データを再生する流れを示すフローチャートである。
【図１０】ＣＤプレーヤを設けた実施形態のカーナビゲーションシステムの電気的構成を示す機能ブロック図である。
【図１１】算出した現在地データに基づき、ＣＤプレーヤでＣＤを再生し、現在地の画像データを再生する流れを示すフローチャートである。
【符号の説明】
【００８０】
２，２０  カーナビゲーションシステム
３  ＣＰＵ（制御手段）
４  ＲＡＭ（地図データ記憶手段）
５  操作部（楽曲入力手段）
６  ＬＣＤ（画像表示装置）
７  ＧＰＳユニット（位置データ取得手段）
８  ルート検索部（ルート検索手段）
９  シナリオ生成装置（解析手段）
１０  スピーカ
２１  ＣＤプレーヤ（楽曲再生装置）
【図１】
2008001308.tif 000003
【図２】
2008001308.tif 000004
【図３】
2008001308.tif 000005
【図４】
2008001308.tif 000006
【図５】
2008001308.tif 000007
【図６】
2008001308.tif 000008
【図７】
2008001308.tif 000009
【図８】
2008001308.tif 000010
【図９】
2008001308.tif 000011
【図１０】
2008001308.tif 000012
【図１１】
2008001308.tif 000013